(57)【要約】【課題】使用状態の袋からストーマを容易に取り出せるようにすること。【解決手段】ストーマを収納するための袋であって、袋部には、外側面側に前記ストーマを取り出すための取り出し口を設けると共に、該取り出し口にファスナーまたはマジックテープ（登録商標）を設けて開閉可能にしたため、使用状態であっても袋からストーマを容易に取り出せるようになる。【選択図】図１
0003141868.tif 000002
【実用新案登録請求の範囲】
【請求項１】
ストーマを収納するための袋であって、
袋部には、外側面側に前記ストーマを取り出すための取り出し口を設けると共に、該取り出し口にファスナーまたはマジックテープ（登録商標）を設けて開閉可能にしたこと
を特徴とするストーマ用収納袋。
【請求項２】
前記袋部には、
内側面側にストーマ取り付け用の取り付け口を設けると共に、該取り付け口にマジックテープ（登録商標）を設けて開閉可能にしたこと
を特徴とする請求項１に記載のストーマ用収納袋。
【請求項３】
前記袋部には、
胴体に巻き付けるためのベルトを設けると共に、該ベルトにワンタッチバックルを設けたこと
を特徴とする請求項１または２に記載のストーマ用収納袋。
【請求項４】
前記袋部には、
側部にマチを設けたこと
を特徴とする請求項１乃至３のいずれかに記載のストーマ用収納袋。
【請求項５】
前記袋部には、
消臭剤収納用のポケットを設けたこと
を特徴とする請求項１乃至４のいずれかに記載のストーマ用収納袋。
【請求項６】
前記袋部には、
通気孔を設けたこと
を特徴とする請求項１乃至５のいずれかに記載のストーマ用収納袋。
【請求項７】
前記袋部は、
内面が防水処理されていること
を特徴とする請求項１乃至６のいずれかに記載のストーマ用収納袋。
【考案の詳細な説明】
【技術分野】
【０００１】
本考案は、人工肛門保有者、特に、下行・Ｓ状結腸ストーマの保有者が生活上において外見を気にすることなく使用することができるようにするために、ストーマを収納できて該ストーマを使用していることが外観上分からないようにするためのストーマ用収納袋に関するものである。
【背景技術】
【０００２】
従来、この種の技術としては、例えば、腹部に固定される開口部と内部に溜まった内容物を排出するための排出口を有する人工膀胱用パウチを収納するパウチ吊袋であって、前記パウチの開口部を含む一部を除く残りの部分を覆う形状を有する袋部と、前記袋部を人体に固定するための固定具とを備え、前記袋部は、前記パウチの排出口に対応する面にスリット部を設けたことを特徴とするパウチ吊袋がある。（特許文献１参照）
【０００３】
また、ストーマを収納することを目的とする、例えば、ストーマに取り付けられ、排泄物を収容する排泄物受け用袋を収納するためのベルトであって、前記排泄物受け用袋を収納するポケット部と、該ポケット部に連設するベルト部とから構成されていることを特徴とするストーマ用ベルト（特許文献２参照）があり、人体下腹部に開設された人工肛門のストーマに接続されて人工肛門の傍らに装着されている便収納用のパウチの上から覆い被さるようにしてパウチに当てがわれるシート状用具本体と、このシート状用具本体の上端側が取り付けられていて、下腹部に巻き回して着けることにより前記シート状用具本体をパウチ装着位置に垂れ下げるベルト体と、このベルト体で垂れ下げられて前記パウチに当てがわれているシート状用具本体の下端側を捲れないように引き止める用具本体引き止め手段と、を備えている人工肛門用のパウチ膨張予防具（特許文献３参照）があり、人工肛門（ストーマ）造設の結果、必要となって装着する蓄便容器（パウチ）を安定して下腹部所定の位置に保持する目的で、腹巻状のベルトを本体とし、一つ若しくは複数の造設ストーマに対して粘着固定してあるパウチをベルトの外側へ通し出す為の窓穴と、その下にパウチを受け止めて納める袋状のポケットを備えたストーマ用コルセット（特許文献４参照）がある。
【０００４】
更に、既に販売等により公知になっている技術としては、たとえば、内ポケットがストーマを隠してガードする構成の非特許文献１や、ストーマを外に出して外出できるようにしたストーマバッグ（非特許文献２参照）等がある。
【０００５】
【特許文献１】特開２００３−１２６１３４号公報
【特許文献２】特開平８−２２９０６０号公報
【特許文献３】実用新案登録第３１０７４４４号公報
【特許文献４】登録実用新案第３０１０７５３号公報
【非特許文献１】（株）エム・ピー・アイのホームページ内                                        STOMA CARE PRODUCTS GUIDE、平成２０年２月２７日検索                        インターネット<URL：http://www.mpi-inc.co.jp/products/acc/                  a11.html>
【非特許文献２】ｎａｄｅｓｉｋｏの部屋のホームページ内                                      ストーマバッグ、平成２０年２月２７日検索                                    インターネット<URL：http://www5b.biglobe.ne.jp/~k-nadesi/                  114.htm>
【考案の開示】
【考案が解決しようとする課題】
【０００６】
しかしながら、これら公知技術においては、ストーマを収納している袋を胴体等に取り付けて使用している状態から、前記ストーマを取り出そうとする際に、取り出し難いという問題点がある。
【０００７】
従って、使用状態の袋からストーマを容易に取り出せるようにするということに解決しなければならない課題を有している。
【課題を解決するための手段】
【０００８】
上記した従来例の課題を解決する具体的手段として本考案に係るストーマ用収納袋は、ストーマを収納するための袋であって、袋部には、外側面側に前記ストーマを取り出すための取り出し口を設けると共に、該取り出し口にファスナーまたはマジックテープ（登録商標）を設けて開閉可能にしたことを最も主要な特徴とする。
【０００９】
この考案において、前記袋部には、内側面側にストーマ取り付け用の取り付け口を設けると共に、該取り付け口にマジックテープ（登録商標）を設けて開閉可能にしたこと；前記袋部には、胴体に巻き付けるためのベルトを設けると共に、該ベルトにワンタッチバックルを設けたこと；前記袋部には、側部にマチを設けたこと；前記袋部には、消臭剤収納用のポケットを設けたこと；前記袋部には、通気孔を設けたこと；前記袋部は、内面が防水処理されていること；を付加的な要件として含むものである。
【考案の効果】
【００１０】
本考案に係るストーマ用収納袋は、ストーマを収納するための袋であって、袋部には、外側面側に前記ストーマを取り出すための取り出し口を設けると共に、該取り出し口にファスナーまたはマジックテープ（登録商標）を設けて開閉可能にしたことにより、胴体等に取り付けて使用している状態の袋から容易にストーマを取り出すことができるようになるという優れた効果を奏する。
【考案を実施するための最良の形態】
【００１１】
次に、本考案を具体的な実施の形態に基づいて詳しく説明する。
本考案の実施の形態に係るストーマ用収納袋を図１及び図２を用いて説明する。図１に、ストーマ用収納袋１の略示的な正面図（使用状態において外側の面になる側）を示し、図２に、ストーマ用収納袋１の略示的な裏面図（使用状態において内側（体側）の面になる側）を示してある。
【００１２】
ストーマ用収納袋１は、袋状を呈する構造の袋部２が設けられており、該袋部２の内部に図示していないストーマを収納できるようになっている。このストーマとは、主として、下行・Ｓ状結腸ストーマを用いるものである。
【００１３】
前記袋部２には、外側面側（使用状態において外側の面になる側であり、正面側のこと）にストーマを取り出すための取り出し口３が設けられている。この取り出し口３には、ファスナー４（マジックテープ（登録商標）でも良い）が設けられており、前記袋部２が開閉可能な状態になっている。
【００１４】
また、袋部２の内側面側（使用状態において内側（体側）の面になる側であり、裏面側のこと）には、ストーマを取り付けるための取り付け口５が設けられている。該取り付け口５には、マジックテープ（登録商標）６が設けられており、前記取り付け口５を開閉できてストーマの取り付けを容易にできるようにしている。
【００１５】
袋部２には、上部側にベルト７が設けられており、該ベルト７を使用することによって使用者の胴体に簡単に巻き付けることができるようになっている。更に、前記ベルト７には、ワンタッチバックル８を設けることにより、ベルト７の装着を容易にできるようになる。
【００１６】
また、袋部２の側部には、マチ９が設けられており、袋部２内にストーマを収納させたときに、該ストーマ内における収容物の量が増量した場合に、その増量分を前記マチ９幅によって補うことができるようになっている。
【００１７】
また、袋部２の前面（正面）部には、ポケット１０を設けてあり、該ポケット１０には図示していない消臭剤を収納できるようになっている。そのため、ストーマ内の収容物によって異臭が生じたとしても、該異臭を消臭できるようになる。
【００１８】
更に、袋部２には、複数の通気孔１１が設けられている。この通気孔１１は、袋部２の外側面側及び内側面側のいずれに設けても良く、前記通気孔１１によって、袋部２内のムレを防止できるようになる。また、袋部２は、内面に防水処理を施しておくことが好ましい。
【図面の簡単な説明】
【００１９】
【図１】ストーマ用収納袋の略示的な正面図である。
【図２】ストーマ用収納袋の略示的な裏面図である。
【符号の説明】
【００２０】
１  ストーマ用収納袋
２  袋部
３  取り出し口
４  ファスナー
５  取り付け口
６  マジックテープ（登録商標）
７  ベルト
８  ワンタッチバックル
９  マチ
１０  ポケット
１１  通気孔
【図１】
0003141868.tif 000003
【図２】
0003141868.tif 000004